(57)【特許請求の範囲】
【請求項１】
２つ以上のパチンコ類遊技機の合成樹脂からなる構成部品の結合において、
一方の部品に軸を設け、他方の部品に軸支孔が形成された軸筒を設け、前記軸を前記軸支孔に圧入させることで前記軸筒に亀裂を発生させ、前記亀裂により軸筒を変形させ、前記変形の復元力により２つ以上の部品を結合させることを特徴とする、遊技機の構成部品を製造する方法。
【請求項２】
２つ以上のパチンコ類遊技機の合成樹脂からなる構成部品の結合において、
軸支孔が形成された軸筒を有する一方の部品に軸を挿入し、軸支孔が形成された軸筒を有する他方の部品に前記軸を圧入させることで前記軸が圧入された他の部品の軸筒に亀裂を発生させ、前記亀裂により前記他の部品の軸筒を変形させ、前記変形の復元力により前記２以上の部品を結合させることを特徴とする、遊技機の構成部品を製造する方法。
【請求項３】
結合されて取り付けられるパチンコ類遊技機の合成樹脂からなる構成部品であって、
軸支孔が形成された軸筒を有する部品に、軸を圧入させて前記軸筒に亀裂を発生させ、前記亀裂により前記軸筒を変形させ、前記変形の復元力により前記軸と他の部品とを結合してなる、軸筒に軸が結合されたパチンコ類遊技機の構成部品。
【発明の詳細な説明】
【０００１】
【発明の属する技術分野】
本発明は、パチンコ類遊技機の構成部品の組付構造に関する。
【０００２】
【従来の技術】
従来、パチンコ遊技機等の盤面上に入賞口、ランプ飾り（風車又はチューリップを含む）等の遊技部品は、その装飾効果を高めるために、多数のものが設置される。これらの遊技部品は、加工性に優れた合成樹脂で作製されている。近年では、より装飾効果を高めるために構造が細分化、複雑化し、成形の都合上、相当多数のパーツで構成されている。さらに、特開２０００−１４８７０等のように各パーツはネジ止めによって組み付けられていた。
【０００３】
しかし、上記の遊技部品の構造が細分化・複雑化に伴う遊技部品及びそれを構成する個々の部品の種類・数の増加傾向、また、近年のパチンコ遊技機等のライフサイクルの短縮化傾向に鑑みると、従来の作製方法では、時間、費用、及びその労力の負担が顕著に増加する傾向にある。従って、その部品点数とそれに伴う組み立て作業コストを可能な限り抑えることが望ましい。
【０００４】
【発明が解決しようとする課題】
本発明は、上記技術の有する問題点を鑑みて創出されたものであり、その目的はネジ止め等の固着部品の削減を図り、予め極めて簡単に遊技部品を組み立てることができる構造とし、部品点数の削減及び作業コストの削減を同時に可能とした。
【０００５】
【課題を解決するための手段】
上記目的を達成するために、本発明では、合成樹脂製部品の結合において、その一部の部品に亀裂を生じる弾性変形させるようにし、その復元力を用いて、２以上の部品を結合させることにより、結合した部品を製造する方法を提供する。具体的には、サイドランプのように、２以上の部品の結合においては、一方の部品に軸を設け、他方の部品に軸支孔を持つ軸筒を設け、軸を軸支孔に挿入させることで、軸筒に亀裂を生じさせ、前記亀裂により軸筒を変形させ、前記変形の復元力を用いて、２以上の部品を結合させることにより、結合した部品を製造する方法を提供する。また、風車のように１の軸で風車本体と風車に係るベースを固着するために、２以上の部品の結合においては、軸支孔が形成された軸筒を有する一方の部品に軸を挿入し、軸支孔が形成された軸筒を有する他方の部品に前記軸を圧入させることで前記軸が圧入された他の部品の軸筒に亀裂を発生させ、前記亀裂により前記他の部品の軸筒を変形させ、前記変形の復元力により前記２以上の部品を結合させることを特徴とする、遊技機の構成部品を製造する方法を提供する。
【０００６】
【発明の実施の形態】
本発明では、特定形状に成形された合成樹脂等が、弾性変形しても、元の形状に復元しようとする力を、２つ以上の部品の結合に利用したものである。特に、合成樹脂等に負荷を掛けて、亀裂が生じても同様の復元力を持つことに着目した。
【０００７】
例えば、図１に示すように、合成樹脂で成形された軸支孔（１）を有する軸筒（２）に、その軸支孔の内径より大きい外径を持った軸（３）を挿入させるとすると、当然軸筒の軸支孔部分に亀裂（４）が生じる、若しくは軸支孔が膨張する等の弾性変形する（図１−２）。合成樹脂の弾性変形は、元の形状に復元しようとする力が働くので、結果として、軸筒の軸支孔が軸を軸支することができる（図１−３）。
本発明では、主に２つの部品の結合において、軸支等の結合させようとすることで、適当な亀裂を積極的に生じさせることとし、亀裂を生じた合成樹脂（挿入される部品）が軸等の挿入する部品を結合した状態を維持したまま、元の形状に復元しようとすることで取り外しの困難で状態で、軸支等の結合がされることを特徴とする。
【０００８】
本発明の２以上の部品の結合方法の機序を説明する。
第１に、軸支孔（１）の内径は軸先端部の外径よりも小さくなっており、軸の係合部（６）に対応する部分を他の部分の軸筒（２）よりも任意に肉薄（５）とする。軸（３）が軸支孔（１）へ挿入されていない状態では軸筒（２）は無垢の状態である。
第２に、軸（３）を軸支孔（１）へ押し込むように挿入すると、軸筒の肉薄部分（５）に亀裂（４）が生じ、弾性変形する。ここで、適当な合成樹脂の選択及び任意の肉薄とすることで、軸筒の欠損を防止しながら、弾性変形させることができる（図１−２）。さらに、亀裂が生じ易くさせるために、軸筒にミシン目等の切れ目若しくは、その一部に切れ目を付けてもよい。
第３に、樹脂の有する復元力により軸筒（２）の弾性変形が復元し、軸筒（２）は軸（３）の係合部（６）で軸支等することで、固定される。（図１−３）。
【０００９】
本発明では、パチンコ遊技盤面上に取り付けられる樹脂を使用した遊技部品に使用できる。図２では、本発明に利用できる一般的なパチンコ遊技盤面上の遊技部品を例示列挙したものである。本発明は、軸支等の部品間の結合、遊技部品の盤面上への配設等に利用できる。遊技部品は、特別図柄表示装置（７）・各種入賞口（８）・始動入賞口（９）・大入賞口（１０）・特定領域（１１）・普通図柄表示装置（１２）・左右の通過口（１３）・左右のサイドランプ（１４）・各種風車（１５）・左右のランプ風車（１６）・ファール球止（１７）・返しゴム（１８）・証紙台（１９）・破防カバー（２０）・内外のレール（２１）・アウトロ（２２）・アウトロ飾り（２３）及びそれらを構成する個々の部品が例示的に挙げられる。
【００１０】
【実施例】
本発明を、風車に採用した例を説明する（図３）。風車軸（２４）を風車本体（２５）の前方より挿入し、風車軸の突片（２８）を風車本体の嵌合部（２９）へ風車本体が自由回転できるように遊嵌させてから、風車軸（２４）をベースの軸筒（２６）へ表側より、軸筒の軸支孔（２７）を通りながら挿入され、ベース（２８）に取り付ける。ベース（２８）の役割は、風車本体等の装飾部材等を取り付けてから、遊技盤へ取り付られることである。風車軸の先端をベースの軸支孔（２７）へ押し込むことで軸筒（２６）に亀裂が生じ易くするために、係合部近辺の軸筒の一部を肉薄部分（３１）とし、また、係合部の軸支孔の内径を風車軸の外径より小さくする。亀裂が生じ弾性変形した軸筒は、風車軸（２４）の係合部と合致したままで、弾性変形が復元して風車軸（２４）を軸支することによって取り付けられる。
【００１１】
ここで、風車軸（２４）は、先端部（３２）に突片（２９）を設け、風車本体の嵌合部（３０）へ風車本体が自由回転できるように遊嵌できることとしている。また、後端部（３３）には、テーパー部（３４）を設け、内径の小さい軸支孔に挿入することを容易としてもよい。後端部の外径は、軸筒に亀裂が生じればよく、突片（２９）及び係合溝（３５）以外の他の風車軸部分の外径と同じ若しくは小さくてもよい（図４）。
さらに、風車軸（２４）の係合部の一部若しくは全部を、他の風車軸部分の外径よりも小さくした係合溝（３５）としてもよく、亀裂の生じた弾性変形の復元を促進することができる（図３，図４）。
尚、風車軸（２４）と軸筒（２６）内部の間は、風車本体の自由回転をし易くするため、僅かな隙間を設ける。
【００１２】
また上記の変形例（図５）として、風車軸（２４）を風車本体（２５）の前方より挿入し、風車軸の突片（２９）を風車本体の嵌合部へ風車本体が自由回転できるように遊嵌させてから、風車軸をベースの軸筒内部で係止するように挿入してもよい。本実施例の場合も、ベースにある軸筒の一部の内径を小さくすること、また、風車軸（２４）の係合部に対応する軸筒（２６）の一部を肉薄部分（３１）とし、風車軸（２４）を挿入することで軸筒に亀裂が生じるようにした。また、亀裂の生じた弾性変形の復元を促進するために、風車軸の係合部を他の部分よりもその外径を小さくしている。本実施例の利点は、風車軸及びベースの軸筒を短縮できるので、部品材料の削減等に寄与できる。
【００１３】
本発明を、サイドランプのように２以上の部品を固着するために使用する方法を説明する（図６）。
入賞口（８）は、遊技盤面を流下する遊技球を受け入れるものである。ベース（３６）は、入賞口その他の装飾部材等を取り付けてから又は、予め遊技盤面上に遊技盤へ取り付けられる。本発明による入賞口（８）とベース（３６）の取付例は、入賞口（８）に取付軸（３７）を設け、それに対応するようにベースに取付軸が挿入される軸筒を各々３カ所設け、入賞口（８）をベースに取り付ける。
【００１４】
本実施例においても、取付軸（３７）の先端をベースの軸支孔（３８）へ押し込むことによる軸筒の亀裂と弾性変形により、軸支孔が取付軸を固定することによって取り付けられる。その他装飾部材（３８）及びレンズ部材（３９）についても同様の方法にてベースに取り付けられる。
また、上述した風車、サイドランプの実施例に限られず、可変入賞装置、画像表示装置、各始動口及び通過口等の盤面上で使用される遊技部材についても本発明を採用することができる。
選択的に、取付部材（風車本体、装飾部材等）に軸筒を設け、ベース側から軸を挿入する構成としても同様の効果が得られる。
【００１５】
本発明の取付方法では、複数のパーツが取外すことが困難な構造となるが、遊技部材は、一度組付けると再度分離する必要性は少ないので、特段の不都合はない。また、パーツを分離させる必要があるときは、軸支孔（３７）を手作業によって、その亀裂を一時的に広げる等して弾性変形させることで取り外しが容易となる。
【００１６】
また、軸支孔に亀裂を生じさせる構造であれば、必ずしも軸支孔の径が軸本体の径よりも小さい必要はない。例えば、係合部の軸先端側の軸径を軸支孔の径よりも大きくしてもよく、また、軸支孔の径の大きさを徐々に内部に入るにつれ、狭くしてもよい。
尚、軸先端をテーパー状や角Ｒ形状としたり、先細り形状等にして、軸を軸支孔へ挿入しやすいようにしてもよい。
【００１７】
【発明の効果】
従来の風車には、風車軸をベースに取り付ける場合、金属製のストッパー等を用いて風車軸の抜け落ちを防止したものがあるが、本発明では、これが不要となる。サイドランプの実施例では、ネジ等の固着部品が不要となるため、部品点数の削減と、それに伴う作業コストの削減が図られる。
【００１８】
また、本発明の取付方法は、基本的に軸を軸支孔へ押し込めるようにして取り付ける、ワンタッチ取付構造であるので、取付作業が容易となる。
さらに、軸をも樹脂製にすれば、遊技部品を廃棄する際に材質ごとに分別する作業が省略できるので、リサイクルに寄与するものとなる。
【００１９】
加えて、風車の実施例では、従来、弾性片を用いて風車軸を軸支するものが挙げられるが、弾性片の縁部と風車軸との摩擦抵抗が大きく、摺動性がよくないとの問題があった。
しかし、本発明では、組み付け時に軸筒が一旦は弾性変形するものの、組み付け後の状態では元の形状に復元し、摺動性の問題となる縁部を有しない構造となるため、摩擦抵抗の少ない摺動性に優れた遊技機の構成部品を提供できる。
【図面の簡単な説明】
【図１】本発明における亀裂を生じた弾性変形の復元により部品を固定されることを示す説明図
【図２】本発明における部品取付方法を、遊技機の遊技部品に利用できる遊技部品、部材を例示的に示す説明図
【図３】本発明における部品取付方法を、遊技機の風車の取付に利用したことを示す説明図
【図４】本発明における部品取付方法で利用される風車軸をを示す説明図
【図５】本発明における部品取付方法を、図３に示す方法と異なる、遊技機の風車の取付に利用したことを示す説明図
【図６】本発明を、サイドランプのように２以上の部品を固着するために使用する方法を示す説明図
【符号の説明】
１    軸支孔
２    軸筒
３    軸
４    亀裂
５    肉薄部分
６    軸の係合部
７    特別図柄表示装置
８    各種入賞口
９    始動入賞口
１０  大入賞口
１１  特定領域
１２  普通図柄表示装置
１３  左右の通過口
１４  左右のサイドランプ
１５  各種風車
１６  左右のランプ風車
１７  ファール球止
１８  返しゴム
１９  証紙台
２０  破防カバー
２１  内外のレール
２２  アウトロ
２３  アウトロ飾り
２４  風車軸
２５  風車本体
２６  風車に係るベースの軸筒
２７  風車に係るベースの軸筒の軸支孔
２８  風車に係るベース
２９  風車軸の突片
３０  風車本体の嵌合部
３１  風車に係るベースの軸筒の肉薄部分
３２  風車軸の先端部分
３３  風車軸の後端部分
３４  風車軸の後端部分のテーパー部
３５  風車軸の係合溝
３６  サイドランプに係るベース
３７  入賞口の取付軸
３８  サイドランプに係るベースの軸支孔
３９  サイドランプに係るその他装飾部材
４０  サイドランプに係るレンズ部材
【図１】
0004533555.tif 000002
【図２】
0004533555.tif 000003
【図３】
0004533555.tif 000004
【図４】
0004533555.tif 000005
【図５】
0004533555.tif 000006
【図６】
0004533555.tif 000007